(57)【要約】【課題】  柱と土台、梁と梁等を結合する際にアリ結合を簡単に実現することができ、しかも、木材の持つ強度を最大限に引き出すことが可能な木材の結合金具を提供する。【解決手段】  第１の木材１の端面に設けられたアリ２と、第２の木材３の側面に設けられてアリが嵌合する角穴３ａとの間に介在されてこれらを結合する木材の結合金具１１であって、アリの端面から付け根部まで設けられたスリット２ａに嵌合され、先端がアリの端面から突出する支持板１５と、支持板の一側面に固定されてアリと係合する楔状の係合部１６とから成り、アリの両側部に装着されて支持板が第１の結合ピン１８によりアリに固定され、係合部がアリに係合される一対の第１の結合部材１１と、箱体をなし、角穴に嵌合されて側壁の上部が第２の結合ピン１９により第１の結合部材の先端と共に第２の木材に固定される第２の結合部材１３からなる構成としている。【選択図】      図１
2006028741.tif 000002
【特許請求の範囲】
【請求項１】
第１の木材の端面に設けられたアリと、第２の木材の側面に設けられて前記アリが嵌合する角穴との間に介在されてこれらを結合する木材の結合金具であって、
前記アリの端面から付け根部まで設けられたスリットに嵌合され、先端が前記アリの端面から突出する支持板と、前記支持板の一側面に固定されて前記アリと係合する楔状の係合部とから成り、前記アリの両側部に装着されて前記支持板が前記アリに固定され、前記係合部が前記アリに係合される一対の第１の結合部材と、
箱体をなし、前記角穴に嵌合されて側壁の上部が前記第１の結合部材の先端と共に前記第２の木材に固定される第２の結合部材とから成る、ことを特徴とする木材の結合金具。
【請求項２】
第１の木材の端面に設けられたアリと、第１の木材を結合すべき相手部材との間に介在されてこれらを結合する木材の結合金具であって、
前記アリの端面から付け根部まで設けられたスリットに嵌合され、先端が前記アリの端面から突出して略Ｌ形に折曲された支持板と、前記支持板の一側面に固定されて前記アリと係合する楔状の係合部とから成り、前記アリの両側部に装着され前記支持板が前記アリに固定され、前記係合部が前記アリに係合され、前記支持板の先端が前記相手部材に固定される一対の結合部材から成る、ことを特徴とする木材の結合金具。
【請求項３】
第１の木材の端面に設けられた第１のアリと、第２の木材の端面に設けられた第２のアリとを突き合わせてこれらを結合する木材の結合金具であって、
前記第１、第２のアリの端面から付け根部まで設けられたスリットに嵌合される支持板と、前記支持板の一側面に固定されて前記第１、第２のアリと係合する楔状の係合部とから成り、前記第１、第２のアリの両側部に装着されて前記各支持板が前記アリに固定され、前記係合部が前記第１、第２のアリに係合する一対の結合部材から成る、ことを特徴とする木材の結合金具。
【請求項４】
第１の木材の端面に設けられたアリと、第２の木材の側面に設けられて前記アリが嵌合する角穴との間に介在されてこれらを結合する木材の結合金具であって、
前記アリの端面に当接係止される底板と、前記底板に連設形成され前記アリの楔状の凹部と係合する楔状の係合部と、前記底板と前記係合部との連設部近傍の両側部に一体に設けられ前記アリが前記角穴に嵌合されたときに前記第２の木材とピン結合される固定部とから成る、ことを特徴とする木材の結合金具。
【請求項５】
前記底板には前記アリの端面に打ち込まれて前記底板を固定する係止爪が設けられていることを特徴とする請求項４記載の木材の結合金具。
【請求項６】
第１の木材の端面に設けられたアリと、第２の木材の側面に設けられて前記アリが嵌合する角穴との間に介在されてこれらを結合する木材の結合金具であって、
前記アリの端面に当接係止される底板と、前記底板に連設形成され前記アリの楔状の凹部と係合する楔状の係合部と、前記底板と前記係合部との連設部近傍の両側部に一体に設けられ前記アリが前記角穴に嵌合されたときに前記第２の木材とピン結合される固定部とを有する第１の結合部材と、
前記第２の木材の角穴に嵌合され、底板が前記第２の木材を載置する基礎コンクリートのアンカーボルトに固定される底板と、前記底板に前記第１の結合部材の固定部と対応して垂設され、上部が前記固定部と共に前記第２の木材にピン結合される支持部とを有する
第２の結合部材部材とから成る、ことを特徴とする木材の結合金具。
【発明の詳細な説明】
【技術分野】
【０００１】
本発明は、特に木造建築物の柱と土台、梁と梁等の結合に好適な木材の結合金具に関する。
【背景技術】
【０００２】
古来より、日本の木造建築物は、軸組工法で建築され、木材の力を巧みに利用して強度と共に美しさも追求してきている。一方、現代の木造建築は、合理化や工期の短縮、職人の不足等の理由で木材の結合部に金物を多用している。
例えば、柱（女木）と梁（男木）との結合部に使用される軸組工法の美点である仕口にアリとアリ溝（穴）を用いた工法は、柱のアリ溝加工の難しさを簡略化して角穴を穿設し、梁の木口に形成した角形の嵌合突部を嵌合し、羽子板ボルトで補強するのが一般的になっている。また、地震等のエネルギ吸収能力を高めた木造建築における梁と柱とを鋼板とドリフトピンとにより連結する結合構造も提案されている（例えば、特許文献１参照）。
【０００３】
また、柱と土台との結合構造においては結合部にＴ形をなし、水平部が土台に固定され、垂直部が柱の木口に設けられたスリットに挿入されてアンカーピンで固定される鋼板製の組付プレートが使用されている（例えば、特許文献２参照）。
【特許文献１】特開２００２−３８５９１号公報（図１）
【特許文献２】特開２００２−１１５３３９号公報（図７）
【発明の開示】
【発明が解決しようとする課題】
【０００４】
しかしながら、羽子板ボルトや組付プレートとドリフトピン等を用いた場合美感が悪くなるばかりでなく、ボルト穴やナットを埋め込むための座堀加工や、ドリフトピンを多数打ち込むための多数の穴加工による木材の欠損も大きくなり、強度も低下する。また、パネル工法等においては、パネルを取り付ける際に金物やボルトが邪魔になることがある。
また、柱と土台との結合に鋼板製の組付プレートを使用した場合、この組付プレートが災いして木痩せしたときに隙間が生じるという問題がある。更に、ドリフトピンを使用する場合、木材の強度上木口からドリフトピンまで所定距離、具体的にはピン径の約７倍程度の距離を必要とされる等の制約もある。
【０００５】
このため、本発明は、柱と土台、梁と梁等を結合する際にアリ結合を簡単に実現することができ、しかも、木材の持つ強度を最大限に引き出すことが可能な木材の結合金具を提供することを目的とする。
【課題を解決するための手段】
【０００６】
上記目的を達成するため、請求項１の木材の結合金具は、第１の木材の端面に設けられたアリと、第２の木材の側面に設けられて前記アリが嵌合する角穴との間に介在されてこれらを結合する木材の結合金具であって、前記アリの端面から付け根部まで設けられたスリットに嵌合され、先端が前記アリの端面から突出する支持板と、前記支持板の一側面に固定されて前記アリと係合する楔状の係合部とから成り、前記アリの両側部に装着されて前記支持板が前記アリに固定され、前記係合部が前記アリに係合される一対の第１の結合部材と、箱体をなし、前記角穴に嵌合されて側壁の上部が前記第１の結合部材の先端と共に前記第２の木材に固定される第２の結合部材から成る、ことを特徴としている。
【０００７】
第１の木材例えば、柱の下端に設けられたアリのスリットに左右両側から第１の結合部材の支持板を挿入して重ね、楔状をなす係合部をアリの楔状をなす切欠に係合し、アリの側面から結合ピンを打ち込んで前記支持板を貫通させて固定する。このとき前記結合ピンの両端面がアリの両側面と面一となる。これにより、アリの両側に第１の結合部材が装着固定される。この状態において支持板の下部がアリの端面から下方に突出している。一方、第２の木材例えば、土台の角穴に第２の結合部材を嵌合し、底面を基礎コンクリートに載置してアンカーボルトに固定する。
【０００８】
次いで、第１の結合部材を装着した柱のアリを土台の角穴に嵌合し、前記土台の側面から結合ピンを打ち込んで第２の結合部材の側壁、第１の結合部材の支持板の下部を貫通させて前記土台に一体に固定する。このとき前記結合ピンの両端面は、土台の両側面と面一となる。これにより、柱と土台とが結合金具を介してアリ構造により固定され、更に基礎コンクリートに固定される。
【０００９】
請求項２の木材の結合金具は、第１の木材の端面に設けられたアリと、第１の木材を結合すべき相手部材との間に介在されてこれらを結合する木材の結合金具であって、前記アリの端面から付け根部まで設けられたスリットに嵌合され、先端が前記アリの端面から突出して略Ｌ形に折曲された支持板と、前記支持板の一側面に固定されて前記アリと係合する楔状の係合部とから成り、前記アリの両側部に装着され前記支持板が前記アリに固定され、前記係合部が前記アリに係合され、前記支持板の先端が前記相手部材に固定される一対の結合部材から成る、ことを特徴としている。
【００１０】
第１の木材例えば、柱の下端に設けられたアリのスリットに左右両側から第１の結合部材の支持板を挿入して重ね、Ｌ形に折曲された部位を外側に向けて前記アリの楔状をなす切欠に楔状をなす係合部を係合させて装着し、アリの側面から結合ピンを打ち込み前記支持板を貫通させて固定する。このとき前記結合ピンの両端面は、アリの両側面と面一となる。これにより、アリの両側に結合部材が装着固定される。そして、前記支持板のＬ形に折曲された部位を角パイプやコンクリート壁、鉄板等の相手部材に固定する。
【００１１】
請求項３の木材の結合金具は、第１の木材の端面に設けられた第１のアリと、第２の木材の端面に設けられた第２のアリとを突き合わせてこれらを結合する木材の結合金具であって、前記第１、第２のアリの端面から付け根部まで設けられたスリットに嵌合される支持板と、前記支持板の一側面に固定されて前記第１、第２のアリと係合する楔状の係合部とから成り、前記第１、第２のアリの両側部に装着されて前記各支持板が前記アリに固定され、前記係合部が前記第１、第２のアリに係合する一対の結合部材から成る、ことを特徴としている。
【００１２】
第１、第２の木材例えば、第１、第２の梁の対向する各端面に設けられた第１、第２のアリを、端面を突き合わせて配置し、これら第１、第２のアリのスリットに上下両側から結合部材の支持板を重ねて嵌挿し、上下の楔状をなす係合部を対向する第１、第２のアリの楔状の切欠に係合し、これらの第１、第２のアリの側面から夫々結合ピンを打ち込み支持板を貫通させて固定する。このとき前記ピンの両端面は、これら第１、第２のアリの両側面と面一となる。これにより、第１の梁７と第２の梁とを突き合わせて強固に結合することができる。
【００１３】
左右の梁に引張力が作用した場合対向するアリに上下の楔状の係合部による圧縮力が作用し、左右の結合ピンが左右のアリの付け根方向に押されて結合ピン間の見かけの距離が長くなり、アリの割れが防止される。従って、アリのヘリアキ（ドリフトピンの穴からアリ端面までの距離）を短くすることができる。この結合構造によれば、アリの形状を大きく、厚くすることができ、強度が向上する。
【００１４】
請求項４の木材の結合金具は、第１の木材の端面に設けられたアリと、第２の木材の側面に設けられて前記アリが嵌合する角穴との間に介在されてこれらを結合する木材の結合金具であって、前記アリの端面に当接係止される底板と、前記底板に連設形成され前記アリの楔状の凹部と係合する楔状の係合部と、前記底板と前記係合部との連設部近傍の両側部に一体に設けられ前記アリが前記角穴に嵌合されたときに前記第２の木材とピン結合される固定部とから成る、ことを特徴としている。
【００１５】
第１の木材例えば、柱の下端に設けられたアリの端面に結合金具の底板を当接させ、楔状の係合部をアリの左右両側の楔状をなす切欠に係合する。この状態において底板に設けられた固定部が前記アリの端面から突出している。前記結合金具を装着した柱のアリを第２の木材例えば、土台の角穴に嵌合し、前記土台の側面から結合ピンを打ち込んで前記固定部を貫通させて前記土台に固定する。このとき前記結合ピンの両端面は、前記土台の両側面と面一となる。これにより、柱と土台とが結合金具を介してアリ構造により固定される。
【００１６】
請求項５の木材の結合金具は、請求項４において、前記底板には前記アリの端面に打ち込まれて前記底板を固定する係止爪が設けられている、ことを特徴としている。
結合金具の底板をアリの端面に当接させて前記係止爪を打ち込み、前記アリに前記結合金具を固定する。これにより、組付作業が容易となる。
請求項６の木材の結合金具は、第１の木材の端面に設けられたアリと、第２の木材の側面に設けられて前記アリが嵌合する角穴との間に介在されてこれらを結合する木材の結合金具であって、前記アリの端面に当接係止される底板と、前記底板に連設形成され前記アリの楔状の凹部と係合する楔状の係合部と、前記底板と前記係合部との連設部近傍の両側部に一体に設けられ前記アリが前記角穴に嵌合されたときに前記第２の木材とピン結合される固定部とを有する第１の結合部材と、前記第２の木材の角穴に嵌合され、底板が前記第２の木材を載置する基礎コンクリートのアンカーボルトに固定される底板と、前記底板に前記第１の結合部材の固定部と対応して垂設され、上部が前記固定部と共に前記第２の木材にピン結合される支持部とを有する第２の結合部材部材とから成る、ことを特徴としている。
【００１７】
第１の木材例えば、柱の下端に設けられたアリの端面に第１の結合部材の底板を当接係止させ、楔状の係合部をアリの楔状をなす左右両側の切欠に係合する。この状態において底板に設けられた固定部が前記アリの端面から突出している。一方、第２の木材例えば、土台の角穴に第２の結合部材を嵌合し、底板を基礎コンクリートに載置してアンカーボルトに固定する。
【００１８】
次いで、前記第１の結合部材を装着した柱のアリを前記土台の角穴に嵌合し、前記土台の側面から結合ピンを打ち込んで前記第１の結合部材の固定部及び第２の結合部材の支持部を貫通させて前記土台に固定する。このとき前記結合ピンの両端面は、前記土台の両側面と面一となる。これにより、柱と土台とが結合金具を介してアリ構造により固定され、更に基礎コンクリートに固定される。
【発明の効果】
【００１９】
請求項１の木材の結合金具によれば、第１の木材と第２の木材とのアリ結合を簡単に実現することができ、組み付けが容易であり、木材の持つ強度を最大限に引き出すことが可能となる。また、第１の木材のアリを大きく取ることができ、アリの強度が高くなると共に第２の木材の角穴が大きくなり、組付が容易となる。
また、第１の木材に引張力が作用した場合一対の結合部材の楔状の係合部による楔効果によりアリの側面に圧縮力が作用し、結合ピンの位置がアリの付け根側に押し付けられるようになり、アリの端面と結合ピンとの距離が見かけ上長くなりアリが割れにくくなる。これにより、結合ピンをアリの先端寄りに打ち込むことが可能となる。
【００２０】
また、第１の結合ピンと第２の結合ピンとは結合部材を介して位置を交換した形になっており、第１の結合ピンがアリの割れを防止し、第２の結合ピンが第２の木材の割れを防止することができる。また、支持板がアリのスリットに嵌挿されるために外部から見えなくなり、結合ピンの端面もアリの側面と面一となり見栄えがよい。また、結合ピンが他の部材と干渉することも防止される。
【００２１】
請求項２の木材の結合金具によれば、第１の木材のアリとこのアリと嵌合するための角穴を開けることが困難な角パイプやコンクリート壁、鉄板等の相手部材とを固定することができる。また、アリの形状を大きくし、その厚みを木材例えば、柱の幅と同じ厚みにすることができ、強度の向上が図られる。また、支持板がアリのスリットに嵌挿されるために外部から見えなくなり、結合ピンの端面もアリの側面と面一となり見栄えがよい。また、結合ピンが他の部材と干渉することも防止される。
【００２２】
請求項３の木材の結合金具によれば、第１の木材と第２の木材例えば、左右の梁を突き合わせて結合することができ、左右の梁に引張力が作用した場合、各アリに楔状の係合部による圧縮力が作用し、左右の結合ピンが各アリの付け根方向に押されてこれら左右の結合ピン間の見かけの距離が長くなり、アリの割れが防止される。また、アリの形状を大きくすることができ強度が向上する。
【００２３】
更に、アリの端面と結合ピンのピン穴との距離を短くすることができ、これに伴い結合金具の小型、軽量化、コスト低減等が図られる。また、支持板がアリのスリットに嵌挿されるために外部から見えなくなり、結合ピンの端面もアリの側面と面一となり見栄えがよい。また、結合ピンが他の部材と干渉することも防止される。
請求項４の木材の結合金具によれば、第１の木材と第２の木材とのアリ結合が容易となり、簡単に実現することができ、結合金具の構造も簡単である。
【００２４】
請求項５の木材の結合金具によれば、結合金具の底板の係止爪をアリの端面に打ち込むことで、前記アリに前記結合金具を固定することができ、組付作業が容易となる。
請求項６の結合金具によれば、アリ構造により柱と土台と基礎コンクリートを第１の結合部材と第２の結合部材を介して一体に簡単に且つ強固に固定することができる。
【発明を実施するための最良の形態】
【００２５】
以下本発明の実施形態を図面に基づいて詳細に説明する。
（第１実施形態）
図１は、本発明に係る木材の結合金具を適用する第１の木材としての柱と第２の木材としての土台との関係を示し、柱１は、木口（下端）にアリ２が設けられており、土台３は、基礎コンクリート４上に水平に載置されて固定されており、柱１の組付位置にアリ２が嵌合する角穴３ａが設けられている。
【００２６】
図２に示すように結合金具１１は、柱１の木口に設けられたアリ２と土台３とを結合するためのものでアリ２に固定される一対の第１の結合部材１２、１２と、前記アリ２が嵌合する土台３の角穴３ａに嵌合されて一対の結合部材１２、１２と共に土台３に固定される第２の結合部材１３とにより構成されている。
図２及び図３に示すように第１の結合部材１２は、支持板１５と楔状の係合部１６とから成る。支持板１５は、鉄板からなり、上部１５ａの両側面１５ｃが下部１５ｂから上方に傾斜して狭くなる台形状をなし、側面１５ｃの下端と下部１５ｂとは段差１５ｄをなしている。
【００２７】
上部１５ａの上端から段差１５ｄまでの高さは柱１の木口に設けられたアリ２の高さと同じ高さとされ、下部１５ｂは、アリ２の端面の幅と同じ幅、且つアリ２の端面から突出する矩形状をなし結合部材１３と結合可能とされている。側面１５ｃは、アリ２の楔形をなす凹部の傾斜面と同じ傾斜面とされている。そして、上部１５ａの中央部上側寄りの位置にピン穴１５ｅが、下部１５ｂの左右両側にピン穴１５ｆが設けられている。
【００２８】
係合部１６は、鉄板を端面視楔形状に折曲して形成され、柱１の木口とアリ２との間の楔状の切欠に嵌合する形状をなしている。係合部１６は、外壁１６ａと上壁１６ｂと内壁１６ｃから成り、内壁１６ｃは、外壁１６ａに対して支持板１５の側面１５ｃの傾斜角と同じ傾斜角をなし、下端が外壁１６ａの下端に当接している。この下端部１６ｄの厚みは、支持板１５の段差１５ｄの幅と同じとされている。
【００２９】
また、外壁１６ａと内壁１６ｃは、両端略中央部に補強部材１７が溶着固定されて補強されている。これにより、係合部１６の変形が防止される。尚、補強部材１７は必ずしも必要ではない。外壁１６ａの高さはアリ２の高さと同じとされ、長さは、アリ２の厚みと同じとされている。
図４に示すように支持板１５の側面１５ｃは、係合部１６の内壁１６ｃにその中心位置Ｏから一側にその板厚ｔだけずれて配置され、溶着固定されている。図３に示すように係合部１６の下端部１６ｄは、段差１５ｄ上に載置され、係合部１６の外壁１６ａと支持板１５の下部１５ｂの側面とが面一とされ、上壁１６ｂと支持板１５の上端とが面一とされている。そして、図４に実線及び２点差線で示すように左右両側から結合部材１２、１２を向かえ合わせに取り付けた際に左右の支持板１５、１５が中心位置Ｏにて対称に重なるようになっている。
【００３０】
図２に示すように第２の結合部材１３は、土台３の角穴３ａに嵌合し、且つ一対の結合部材１２、１２が装着されたアリ２が嵌合する大きさの角形の箱体をなし、一の対向する側壁１３ａ、１３ａの中央位置に上端から結合部材１２、１２の支持板１５の下部１５ｂ、１５ｂを重ねた状態で両側部が嵌合する切欠１３ｄ、１３ｄが設けられ、他の対向する側壁１３ｂ、１３ｂの上部に支持板１５のピン穴１５ｆ、１５ｆと対応するピン穴１３ｅ、１３ｅが設けられている。
【００３１】
ピン穴１３ｅは、支持板１５の下部１５ｂが切欠１３ｄに嵌合され、下端が切欠１３ｄの下端面に載置された状態においてピン穴１５ｆと対向する。また、底面１３ｃの中央にボルト穴１３ｆが設けられている。結合金具１３の深さは、図５に示すアリ２の端面から土台３が載置される基礎コンクリート４の上面までの深さと同じとされている。
図１に示すように柱１のアリ２には、端面中央にその厚み方向と直交する方向に付け根部分までスリット２ａが設けられており、結合部材１２の支持板１５のピン穴１５ｅと対応してピン穴２ｂが設けられている。前記スリット２ａは、一対の結合部材１２、１２の支持板１５、１５（図１）が重ねて嵌挿される幅とされている。
【００３２】
土台３にはアリ２が嵌合する角穴３ａが上面から下面まで貫通して設けられており、側面には結合部材１３のピン穴１３ｅと対応してピン穴３ｂが貫通して設けられている。また、図５に示すように角穴３ａの中央には基礎コンクリート４に植設されたアンカーボルト５が突出している。
図５に示すようにアリ２のスリット２ａに左右両側から結合部材１２の支持板１５が挿入されて重ねられ、楔状をなす係合部１６がアリ２の楔状をなす切欠に係合され、アリ２のピン穴２ｂ、支持板１５のピン穴１５ｅに第１の結合ピンとしてのドリフトピン１８が打ち込まれて固定される。そして、ドリフトピン１８の両端面は、アリ２の両側面と面一となる。これにより、アリ２の両側に結合部材１２、１２が装着固定される。
【００３３】
この状態において支持板１５の下部１５ｂがアリ２の端面から下方に突出している。一方、土台３の角穴３ａ内に結合部材１３が嵌合され、底面１３ｃが基礎コンクリート４の上面に載置され、ボルト穴１３ｆにアンカーボルト５が貫通されてナット６により締め付け固定される。
次いで、結合部材１２が装着されたアリ２を土台３の角穴３ａに嵌合し、支持板１５の下部１５ｂの両側部を結合部材１３の切欠１３ｄ、１３ｄに嵌合させる。そして、土台３の一側の側面のピン穴３ｂ（図１）から結合部材１３の側壁１３ｂのピン穴１３ｅ、２枚の支持板１５のピン穴１５ｆ、側壁１３ｂのピン穴１３ｅを貫通させて他側の側面まで第２の結合ピンとしてのドリフトピン１９を打ち込む。
【００３４】
これにより、結合部材１２、１３が土台３に固定される。ドリフトピン１９の両端面は、土台３の両側面と面一となる。そして、柱１と土台３とが結合金具１１を介してアリ構造により強固に固定される。これにより、柱１と土台３とが基礎コンクリート４に固定される。
上記結合構造によれば、柱（男木）１のアリ２を大きく取ることができ、アリ２の強度が高くなると共に、土台（女木）３の角穴３ａが単なる角穴となり、穴加工が容易となると共に組み付けが容易となる。また、柱１に上向きの力が作用した場合に左右の結合部材１２の係合部１６による楔効果によりアリ２の側面に圧縮力が作用し、ドリフトピン１８の位置が上方に押し上げられるようになり、アリ２の端面とドリフトピン１８のピン穴２ｂとの距離（以下「ヘリアキ」という）が見かけ上長くなりアリ２が割れにくい。これにより、ドリフトピン１８の位置をアリ２の端面からドリフトピン径の７倍程度とする規制が緩和され、アリ２の先端寄りに打ち込むことが可能となる。
【００３５】
また、上側のドリフトピン１８と下側のドリフトピン１９とは結合部材１２を介して位置を交換した形になっており、上側のドリフトピン１８がアリ２の割れを防止し、下側のドリフトピン１９が土台３の割れを防止することができる。尚、結合ピンは、ドリフトピンに代えて釘等を使用することもできる。
（第２実施形態）
図６に示すように結合金具２１は、一対の結合部材２２、２２からなり、結合部材２２は、図２に示す結合部材１２と同様に支持板２３の側面２３ｃがアリの楔状の切欠と係合する楔状の係合部２４の内壁２４ｃに溶着固定されており、下部２３ｂの下端が一側にＬ形に直角に折曲されて係合部２４の端面の下方位置まで延出されて底板２３ｅとされ、中央部にボルト穴２３ｆが、支持板２３の上部２３ａの左右にピン穴２３ｇが設けられた構造されている。
【００３６】
図７に示すように支持板２３の側面２３ｃは、係合部２４の内壁２４ｃにその中心位置Ｏから一側にその板厚ｔだけずれて配置され、溶着固定されている。図６に示すように係合部２４の下端部２４ｄは、側面２３ｃと下部２３ｂとの段差２３ｄに係合しており、係合部２４の外壁２４ａと支持板２３の下部２３ｂの側面とが面一とされている。これにより、図７に実線及び２点差線で示すように左右両側から結合部材２２、２２を迎え合わせに取り付けた際に左右の支持板２３、２３が中心位置Ｏにて対称に重なることとなる。
【００３７】
図８に示すように柱１のアリ２には端面中央から付け根部分までスリットが、結合部材２１の支持板２３のピン穴２３ｇと対応してピン穴２ｃが設けられており、アリ２の左右両側から前記スリットに結合部材２２、２２の支持板２３、２３を重ねて嵌挿し、底板２３ｅ、２３ｅを外側に向け、楔状の切欠に係合部２４、２４を嵌合させて装着し、ドリフトピン２５で固定する。
【００３８】
ドリフトピン２５の両端面は、アリ２の両側面と面一となる。そして、底板２３ｅ、２３ｅを夫々ボルト２６によりアリ溝としての角穴を開けることが困難な角パイプやコンクリート壁、鉄板等の相手部材９に固定する。この結合構造によれば、アリ２の形状を大きくし、その厚みを柱１の幅と同じ厚みにすることができ、強度の向上が図られる。また、支持板２３がアリ２のスリットに嵌挿されるために外部から見えなくなり、ドリフトピン２５の端面もアリ２の側面と面一となり見栄えがよい。また、ドリフトピン２５が他の部材と干渉することも防止される。
（第３実施形態）
図９に示すように結合金具３１は、図６に示す結合金具２１において支持板２３を間隔を存して２枚設けた構造をなしている。図９及び図１０に示すように結合金具３１は、一対の結合部材３２、３２から成り、結合部材３２は、２枚の支持板３３が間隔を存して平行に配置され各側面がアリの楔状をなす切欠と係合する楔状の係合部３４の内壁３４ｃの内側面に溶着固定されており、底板３３ｅの中央にボルト穴（長孔）３３ｆが、支持板３３の下部３３ｂに角穴３３ｈが設けられた形状とされている。
【００３９】
図１１に示すように２枚の支持板３３、３３の一方の支持板３３は、中心位置Ｏから距離ｄに位置しており、他方の支持板３３は、中心位置Ｏから距離ｄよりも板厚ｔだけ短い距離ｄ'に配置されている。また、一側の支持板３３の下部３３ｂも板厚分だけ短くなっている。これにより、実線及び２点鎖線で示すように結合金具３３、３３をアリに左右から対向させて装着した際に２枚の支持板３３同士を密接させることができる。
【００４０】
一方、アリには不図示の２本のスリット（図１参照）が設けられており、左右両側から結合部材３２、３２を、各支持板３３、３３を重ね、且つ底板３３ｅ、３３ｅを外側に向けて重ねて前記スリットに嵌挿し、前記アリに設けられたピン穴（図示せず）及び各支持板３３のピン穴３３ｇに結合部材としてのドリフトピンを打ち込んで固定する。前記ドリフトピンの両端面は、前記アリの両側面と面一となる。
【００４１】
そして、重ねた左右の支持板３３の底板３３ｅをボルトによりアリ溝（角穴）を開けることが困難なコンクリートの壁面や鉄板等の相手部材に固定する。支持板３３の穴３３ｈは、前記ボルトの頭部が当該支持板３３の下部３３ｂに干渉することを避けるためのものである。
この結合構造によれば、アリ２の形状を大きくし、その厚みを柱１の幅と同じ厚みにすることができ、強度の向上が図られる。また、支持板３３がアリのスリットに嵌挿されるために外部から見えなくなり、ドリフトピンの端面もアリの側面と面一となり見栄えがよい。また、ドリフトピンが他の部材と干渉することが防止される。
（第４実施形態）
図１２は、本発明に係る木材の結合金具を適用する第１の木材として梁７と第２の木材としての梁８とを突き合わせた状態を示し、梁７、８の対向する端面の木口には夫々アリ７ａ、８ａが設けられており、これらのアリ７ａ、８ａは、その厚みがこれらの梁７、８の厚みと同じとされている。そして、アリ７ａ、８ａには夫々スリット７ｂ、８ｂが間隔を存して平行に端面から付け根部まで設けられている。また、アリ７ａ、８ａの付け根近傍に側面からピン穴７ｃ、８ｃが夫々２つ設けられている。
【００４２】
図１３に示すように結合金具４１は、梁７と梁８とを突き合わせて結合するもので、結合金具４１は、一対の結合部材４２、４２から成り、結合部材４２は、２枚の支持板４３とアリの楔状の切欠と係合する楔状の係合部４４から成る。係合部４４は、外壁４４ａの上下両端が内側に直角に折曲されて上壁４４ｂ、下壁４４ｂをなし、更に内側に外壁４４ａの中央位置まで傾斜して折曲されて上下に楔を突き合わせた形状とされている。
【００４３】
各支持板４３は、両側面４３ａ、４３ｂが夫々中央部から上下方向に係合部４４の傾斜する上下の内壁４４ｃと対応した傾斜面とされ、一側の上下の側面４３ａが係合部４４の上下の内壁４４ｃに溶着固定されている。また、各支持板４３は、四隅にピン穴４３ｃが設けられている。対向する２枚の支持板４３は、間隔を存して２枚平行に配置した構成とされており、図１４に示すように一方の側板４３は、中心位置Ｏから距離ｄに位置しており、他方の側板４３は、中心位置Ｏから距離ｄよりも板厚ｔだけ短い距離ｄ'に配置されている。これにより、図１２に示す梁７、８のアリ７ａ、８ａの上下の楔形をなす切欠に結合部材４２、４２を上下から対向させて装着した際に各２枚の支持板４３同士を密接させることができる。
【００４４】
図１５に示すように対向する梁７と梁８のアリ７ａとアリ８ａは、端面を突き合わせて配置され、スリット７ｂ、８ｂに上下両側から結合部材４２、４２の支持板４３、４３を重ねて嵌挿し、上下の係合部４４を対向する楔状の切欠に嵌合し、アリ７ａ、８ａのピン穴７ｃ、８ｃ及び各支持板４３のピン穴４３ｃに結合ピンとしてのドリフトピン４５、４６を打ち込んで固定する。そして、ドリフトピン４５、４６の両端面は、アリ７ａ、８ａの両側面と面一となる。これにより、梁７と８とを突き合わせて強固に結合することができる。
【００４５】
左右の梁７と８とに引張力が作用した場合アリ７ａ、８ａに上下の楔状の係合部４４、４４による圧縮力が作用し、左右のドリフトピン４５、４６がアリ７ａ、８ａの付け根方向に押されてドリフトピン４５、４６間の見かけの距離が長くなり、アリ７ａ、８ａの割れが防止される。従って、アリ７ａ、８ａのヘリアキ（ドリフトピンの穴からアリ端面までの距離）を短くすることができる。
【００４６】
この結合構造によれば、アリ２の形状を大きく厚くすることができ、強度が向上する。また、結合金具４１の小型、軽量化、コスト低減等が図られる。また、支持板４３がアリ７ａ、８ａのスリット７ｂ、８ｂに嵌挿されるために外部から見えなくなり、ドリフトピン４５、４６の端面もアリ７ａ、８ａの側面と面一となり見栄えがよく、ドリフトピン４５、４６が他の部材と干渉することが防止される。尚、第１、第２の木材として前記梁に代えて柱としてもよいことは勿論である。
（第５実施形態）
図１６乃至図１８に示すように結合金具としての結合部材５１は、側面視略Ｌ字形状をなし、アリの端面に当接固定される固定部としての底板５２と、底板５１の一側に前記アリの傾斜面に応じて折曲された内側板５３と、この内側板５３の上端５３ａが前記アリの付け根から外側に折り返され更に底板５２に向かって内側板５３の付け根近傍まで折り返された外側板５４と、底板５２の両側部に内側板５３との折曲部（基端部）から略中央まで延び、且つ下方に直角に折り返された固定部５５と、底板５２の略中央部に設けられた係止爪５６からなる。
【００４７】
固定部５５は、図１６及び図１７に示すように外側板５４の下端両側に係止爪５４ａが設けられており、これらの係止爪５４ａは、内側板５３の両側部下端に設けられた切欠５３ｂに係合されている。また、外側板５４の両側部には補強部材としての耳部５４ｂが内側板５３に向かって直角に折り返して形成され、先端が内側面５３の両側部内面に当接している。そして、内側板５３と外側板５４とにより前記アリの傾斜面に係合する楔状の係止部５７が形成される。
【００４８】
固定部５５は、結合部材５１を土台に固定するためのもので、ピン穴５５ａが設けられている。また、図１６乃至図１８に示すように底板５２の略中央に基端近傍から先端までに亘り係止爪５６が切り起こし成形により形成されている。この係止爪５６は、底板５２の基端部近傍から先端に向かって斜め下方に延出し、先端５６ａが内方（底板５２側）に折曲されて略く字状をなし、先端５６ａが底板５２の上面と面一とされている。かかる形状の結合金具５１は、鉄板により一体に形成されている。
【００４９】
この結合部材５１は、図２０に示すように柱１のアリ２の両側部の楔状の凹部に係合部５７を嵌合され、内側板５３がアリの傾斜面に当接され、底板５２がアリ２の端面に当接して取り付けられ、端面に係止爪５６を打ち込んで固定する。これにより、アリ２の両側に結合部材５１が固定される。
次いで、土台３の角穴３ａに圧入嵌合し、土台３の側面に固定部５５のピン穴５５ａと対応して穿設されているピン穴にドリフトピン５９を打ち込み、土台３に結合部材５１を固定する。この状態において結合部材５１の外側板５４が角穴３ａの内面に当接（圧接）している。更に、土台３の側面からピン６０を打ち込み土台３とアリ２とを固定する。これにより、土台３に柱１を強固に固定することができる。
【００５０】
図２１は、図２０において基礎コンクリート４と第１の結合部材５１との間に第２の結合部材６１を介装したものである。結合部材６１は、底板６２が角穴３ａに嵌合する大きさとされ、その略中央に基礎コンクリート４に植設されたアンカーボルト５が遊嵌するボルト穴５ａが穿設されている。底板６２の両側部の両端に結合部材５１の底板５２の両側部の固定部５５と対応して支持片６３が上方に向けて直角に折曲されて形成され、上部にピン穴５５ａと対応してピン穴６３ａが穿設されている。この結合部材６１も鉄板により一体に形成されている。
【００５１】
図２１及び図２２に示すように土台３の角穴３ａに結合部材６１を嵌挿し、底板６２のボルト穴６２ａにアンカーボルト５を貫通させてナット６で締付固定する。次いで、結合部材５１を取り付けたアリ２を角穴３ａに圧入嵌合し、各固定部５５のピン穴５５ａと支持片６３のピン穴６３ａとを合致させる。そして、土台３の側面にピン穴５５ａ、６３ａと対応して穿設されているピン穴にドリフトピン５９を打ち込み、土台３に結合部材５１と結合部材６１を固定する。更に、土台３の側面からピン６０を打ち込み土台３とアリ２とを固定する。これにより、基礎コンクリート４に土台３と柱１を強固に固定することができる。
【００５２】
図２３は、図１９に示す結合部材５１'により梁７と梁８とを突き合わせて結合する場合を示す。この場合、結合部材５１'は、図１６に示す結合部材５１の一側（図中右側）の固定部５５'をその板厚分だけ内側（中心側）に寄せて形成されている。他の構成は結合部材５１と同様である。これにより、固定部５５'を向かえ合わせた際に重ねることができる。そして、梁７、８のアリ７ａ、８ａに夫々結合金具５１'、５１'を固定し、対向する固定部５５'、５５'を重ねてピン穴５５ａ'、５５ａ'を合致させ、ピン６５を貫通させて結合する。これにより、梁７と８とを突き合わせて簡単に結合することができる。
【００５３】
尚、第５実施形態において図２０に示す左右の結合金具５１の底板５１ａを連続させて１枚の鉄板により一体に形成してもよい。また、図２０において梁に代えて柱同士を結合するようにしてもよい。
【図面の簡単な説明】
【００５４】
【図１】本発明に係る木材の結合金具を適用する第１の木材としての柱と第２の木材としての土台との関係を示す要部斜視図である。
【図２】図１に示す柱と土台とを結合するための木材の結合金具の第１実施形態を示す組立斜視図である。
【図３】図２に示す一側の結合部材の側面図である。
【図４】図３に示す結合部材の平面図である。
【図５】図２に示す結合金具の使用状態を示す断面図である。
【図６】本発明に係る木材の結合金具の第２実施形態を示す組立斜視図である。
【図７】図６に示す結合金具の平面図である。
【図８】図６に示す結合金具の使用状態を示す断面図である。
【図９】本発明に係る木材の結合金具の第３実施形態を示す組立斜視図である。
【図１０】図９に示す一側の結合部材の側面図である。
【図１１】図１０に示す結合部材の平面図である。
【図１２】本発明に係る木材の結合金具を適用する第１の木材としての梁と第２の木材としての梁とに設けたアリを突き合わせた状態を示す要部斜視図である。
【図１３】図１２に示す梁と梁とのアリ同士を結合するための木材の結合金具の第４実施形態を示す組立斜視図である。
【図１４】図１３に示す一側の結合部材の平面図である。
【図１５】図１３に示す結合金具の使用状態を示す断面図である。
【図１６】本発明に係る木材の結合金具の第５実施形態を示す正面図である。
【図１７】図１６に示す結合金具の側面図である。
【図１８】図１６に示す結合金具の平面図である。
【図１９】図１６に示す結合金具の変形例を示す側面図である。
【図２０】図１６に示す結合金具の使用状態を示す断面図である。
【図２１】図２０に示す結合金具（第１の結合部材）と基礎コンクリートとの間に第２の結合部材を介装した状態の断面図である。
【図２２】図２１の矢線XXII−XXIIに沿う断面図である。
【図２３】図１９に示す結合金具により梁と梁とを突き合わせて結合する場合の説明図である。
【符号の説明】
【００５５】
１  柱
２  アリ
２ａ  スリット
２ｂ、３ｂ  ピン穴
３  土台
３ａ  角穴
４  基礎コンクリート
５  アンカーボルト
７、８  梁
７ａ、８ａ  アリ
７ｂ、８ｂ  スリット
７ｃ、８ｃ  ピン穴
９  相手部材
１１、２１、３１、４１、５１、５１'  結合金具
１２、１３、２２、３２、４２、６１  結合部材
１５、２３、３３、４３  支持板
１６、２４、３４、４４  係合部
１８、１９、４５、４６、５９、６３、６５  ドリフトピン（結合ピン）
５２、６２  底板
５３  内側板
５４  外側板
５５  固定部
５６  係止爪
５７  係合部
６３  支持片
【図１】
2006028741.tif 000003
【図２】
2006028741.tif 000004
【図３】
2006028741.tif 000005
【図４】
2006028741.tif 000006
【図５】
2006028741.tif 000007
【図６】
2006028741.tif 000008
【図７】
2006028741.tif 000009
【図８】
2006028741.tif 000010
【図９】
2006028741.tif 000011
【図１０】
2006028741.tif 000012
【図１１】
2006028741.tif 000013
【図１２】
2006028741.tif 000014
【図１３】
2006028741.tif 000015
【図１４】
2006028741.tif 000016
【図１５】
2006028741.tif 000017
【図１６】
2006028741.tif 000018
【図１７】
2006028741.tif 000019
【図１８】
2006028741.tif 000020
【図１９】
2006028741.tif 000021
【図２０】
2006028741.tif 000022
【図２１】
2006028741.tif 000023
【図２２】
2006028741.tif 000024
【図２３】
2006028741.tif 000025